(57)【特許請求の範囲】
【請求項１】
主体を含み、前記主体の中には上方に開口した廃物送り込み空間が設置され、前記廃物送り込み空間の中には廃物部分を入れることができ、前記廃物送り込み空間の右側には作動空間が連通するように設置され、前記廃物送り込み空間の下側内壁には押し動かし板がスライドできるように設置され、前記押し動かし板が前記廃物送り込み空間の中の廃物を前記作動空間の中に押し入れることができ、前記廃物送り込み空間の左側には制御空間が設置され、前記制御空間の中には前記押し動かし板を制御して左右方向に移動させることができる制御機構が設置され、前記作動空間の中には四つの粉砕カッターと二つの洗浄輪とが設置され、前記作動空間の中には四つの前記粉砕カッターに前記作動空間の中に入った廃物部分を回転して粉砕させることができる粉砕機構が設置され、二つの前記洗浄輪は前後対称であり、前記洗浄輪の外周にはいずれも洗浄ブラシが固定的に設置され、前記作動空間の中には二つの前記洗浄輪を回転させることで粉砕された廃物部分を洗浄することができる洗浄機構が設置され、前記作動空間の右側には右方に開口した補助空間が設置され、前記補助空間の中には洗浄剤タンクと押しブロックとが設置され、前記作動空間の左側には乾燥空間が連通するように設置され、前記乾燥空間の中には洗浄完了後の廃物顆粒を集められる集め板が設置され、前記補助空間の下側には回転盤空間が設置され、前記回転盤空間の中には前記押しブロックを上下方向に移動させることで前記洗浄剤タンクを押して前記洗浄剤タンクを前記作動空間の中に洗浄剤をスプレーするように制御できる動力機構が設置され、前記動力機構はまた前記集め板を上下方向に振動させることで廃物顆粒の占めた面積をより広くすることができ、前記乾燥空間の上側には風通し空間が連通するように設置され、前記風通し空間の中には前記乾燥空間の中に熱風を送って廃物を乾燥する乾燥機構が設置されていることを特徴とする粉末冶金に基づくチタン合金廃物リサイクル装置。
【請求項２】
前記制御機構は前記制御空間の右壁に回転できるように設置されたネジスリーブと伝動軸とを含み、前記ネジスリーブは前記伝動軸の上側に位置し、前記押し動かし板の左側面にはネジロッドが固定的に設置され、前記ネジロッドの左方に伸びる部分は前記制御空間の中に伸びており、且つ前記ネジスリーブを貫通し、前記ネジロッドは前記ネジスリーブとネジ山により嵌合され、前記ネジスリーブの外周には第一歯車が固定的に設置され、前記伝動軸の外周には第二歯車が固定的に設置され、前記第二歯車は前記第一歯車と噛み合い、前記制御空間の後壁には減速器が固定的に設置され、前記伝動軸の左側面と前記減速器とは伝動できるように連結され、前記減速器の左側面には歯車軸が伝動できるように連結され、前記歯車軸の左側面には第一傘歯車が固定的に設置され、前記制御空間の下側内壁には従動軸が回転できるように設置され、前記従動軸の外周には第二傘歯車が固定的に設置され、前記第二傘歯車は前記第一傘歯車と噛み合っていることを特徴とする請求項１に記載の粉末冶金に基づくチタン合金廃物リサイクル装置。
【請求項３】
前記粉砕機構は前記作動空間の後壁に回転できるように設置された旋転軸を含み、前記旋転軸の外周には支持ブロックが固定的に設置され、前記支持ブロックの外周には四つの均等的に配列された連結ブロックが固定的に設置され、前記粉砕カッターと前記連結ブロックとは固定的に連結され、前記作動空間の左右両側にはガイドブロックが固定的に設置され、前記ガイドブロックの下側面には多孔板が固定的に装着され、前記多孔板の中には網目が設置されていることを特徴とする請求項１に記載の粉末冶金に基づくチタン合金廃物リサイクル装置。
【請求項４】
前記作動空間の後側にはベルト空間が設置され、前記ベルト空間の後壁には第一モーターが固定的に設置され、前記従動軸と前記旋転軸の後ろに伸びる部分とはいずれも前記ベルト空間の中に伸びており、また、前記ベルト空間の中に位置する前記従動軸と前記旋転軸との外周にはいずれも第一プーリが固定的に設置され、二つの前記第一プーリの間には第一ベルトが装着され、前記旋転軸の後側面と前記第一モーターとは伝動できるように連結されていることを特徴とする請求項３に記載の粉末冶金に基づくチタン合金廃物リサイクル装置。
【請求項５】
前記洗浄機構は前記洗浄輪の左側面に固定的に設置された第一モーター軸を含み、前記作動空間の左側には伝動空間が設置され、前記伝動空間の左側内壁の中には第二モーターが固定的に嵌められ、二つの前記第一モーター軸の左方に伸びる部分はいずれも前記伝動空間の中に伸びており、また二つの前記第一モーター軸の外周にはいずれも第二プーリが固定的に設置され、二つの前記第二プーリの間には第二ベルトが装着され、前側に位置する前記第一モーター軸の左側面と前記第二モーターとは伝動できるように連結されていることを特徴とする請求項１に記載の粉末冶金に基づくチタン合金廃物リサイクル装置。
【請求項６】
前記動力機構は前記回転盤空間の左側内壁の中に固定的に嵌められる第三モーターを含み、前記第三モーターの右側面には回転盤軸が伝動できるように連結され、前記回転盤軸の右方に伸びる部分は前記回転盤空間の中に伸びており、また前記回転盤軸の右側面には回転盤が固定的に設置され、前記回転盤空間と前記補助空間との間にはスライド空間が連通するように設置され、前記押しブロックは前記スライド空間の内壁にスライドできるように設置され、前記押しブロックの下側にはコンロッドがヒンジで連結され、前記コンロッドの下方に伸びる部分は前記回転盤空間の中に伸びており、また前記コンロッドは前記回転盤の右側面とヒンジで連結され、前記回転盤空間の左壁には横軸が回転できるように設置され、前記横軸の右側面には第三プーリが固定的に設置され、前記第三プーリと前記回転盤との間には第三ベルトが装着されていることを特徴とする請求項１に記載の粉末冶金に基づくチタン合金廃物リサイクル装置。
【請求項７】
前記補助空間の左壁にはクリップが固定的に設置され、前記洗浄剤タンクは前記クリップに挟持され、前記洗浄剤タンクの左側にはホースが連結され、前記ホースの左方に伸びる部分は前記作動空間の中に伸びており、また前記ホースの左側面には噴射ノズルが固定的に設置され、前記主体の右側面にはゴム製布が装着されていることを特徴とする請求項１に記載の粉末冶金に基づくチタン合金廃物リサイクル装置。
【請求項８】
前記作動空間の左右壁の間にはフィルターが固定的に装着され、前記作動空間の下側には下方に開口した廃液排出空間が連通するように設置され、前記廃液排出空間の中にはバルブが固定的に装着され、前記廃液排出空間は前記横軸の前側に位置していることを特徴とする請求項１に記載の粉末冶金に基づくチタン合金廃物リサイクル装置。
【請求項９】
前記乾燥空間の左右両側にはいずれも振動空間が連通するように設置され、前記横軸の左方に伸びる部分は右側の前記振動空間を貫通し、また左側の振動空間の中に伸びており、前記振動空間の中に位置する前記横軸の外周にはいずれも偏心輪が固定的に設置され、二つの前記振動空間の互いに離れた側壁にはいずれも挟みブロックが上下方向にスライドできるように設置され、前記挟みブロックの頂面と前記偏心輪の頂壁との間にはばねが固定的に装着され、二つの前記挟みブロックの互いに近接した側の伸びる部分はいずれも前記乾燥空間の中に伸びており、また前記挟みブロックの外周にはいずれも密封カバーが固定的に設置され、前記集め板を二つの前記挟みブロックの間に装着することができ、前記乾燥空間の前側にはドアが装着されていることを特徴とする請求項１に記載の粉末冶金に基づくチタン合金廃物リサイクル装置。
【請求項１０】
前記乾燥機構は前記第二モーターの左側面に伝動できるように連結される第二モーター軸を含み、前記乾燥空間の上側には風通し空間が連通するように設置され、前記風通し空間は外部空間と連通し、前記風通し空間の外周には加熱装置が固定的に設置され、前記風通し空間の頂壁には固定ブロックが固定的に設置され、前記固定ブロックの中には連通空間が設置され、前記風通し空間の頂壁には矩形空間が設置され、前記矩形空間と前記連通空間とは連通され、前記固定ブロックの右側面にはファン軸が回転できるように設置され、前記ファン軸の外周には二つの対称である羽根が固定的に設置され、前記ファン軸の左方に伸びる部分は前記連通空間の中に伸びており、また前記ファン軸の左側面には第三歯車が固定的に設置され、前記第二モーター軸の左方に伸びる部分は前記矩形空間の中に伸びており、また前記第二モーター軸の左側面には第四歯車が固定的に設置され、前記第四歯車は前記第三歯車と噛み合っていることを特徴とする請求項１に記載の粉末冶金に基づくチタン合金廃物リサイクル装置。
【発明の詳細な説明】
【技術分野】
【０００１】
本願発明は合金廃物利用技術分野に関わり、具体的には粉末冶金に基づくチタン合金廃物リサイクル装置である。
【背景技術】
【０００２】
粉末冶金技術は射出成形の工程において、射出後に生み出された廃物部分をよく再利用せずに捨て、チタン合金は高級な材料として、価格が高く、リサイクルしないと、浪費をもたらし、一般的に利用する回収再利用の方法は廃物を細々に砕いてから再利用するのであり、しかし、この方法で利用される設備は多くの問題があり、粉砕過程において廃物を入れすぎると廃物は過熱になり、そして設備を塞ぐなどの問題が出、射出後の廃物は常に一定量の汚れが付いており、その汚れを除去しないと、回収してから再利用する効果に影響し、また、射出成形はかかる時間が長く、廃物は空気の中の水分と接触することで湿り、これも回収してから再利用する効果に影響を与える。
【先行技術文献】
【特許文献】
【０００３】
【特許文献１】中国特許出願公開第１０９７５９５９７号明細書
【発明の概要】
【発明が解決しようとする課題】
【０００４】
本願発明の目的は粉末冶金に基づくチタン合金廃物リサイクル装置を提供し、既存技術にある上記欠点を解消することである。
【課題を解決するための手段】
【０００５】
本願発明実施例の粉末冶金に基づくチタン合金廃物リサイクル装置は、主体を含み、前記主体の中には上方に開口した廃物送り込み空間が設置され、前記廃物送り込み空間の中には廃物部分を入れることができ、前記廃物送り込み空間の右側には作動空間が連通するように設置され、前記廃物送り込み空間の下側内壁には押し動かし板がスライドできるように設置され、前記押し動かし板が前記廃物送り込み空間の中の廃物を前記作動空間の中に押し入れることができ、前記廃物送り込み空間の左側には制御空間が設置され、前記制御空間の中には前記押し動かし板を制御して左右方向に移動させることができる制御機構が設置され、前記作動空間の中には四つの粉砕カッターと二つの洗浄輪とが設置され、前記作動空間の中には四つの前記粉砕カッターに前記作動空間の中に入った廃物部分を回転して粉砕させることができる粉砕機構が設置され、二つの前記洗浄輪は前後対称であり、前記洗浄輪の外周にはいずれも洗浄ブラシが固定的に設置され、前記作動空間の中には二つの前記洗浄輪を回転させることで粉砕された廃物部分を洗浄することができる洗浄機構が設置され、前記作動空間の右側には右方に開口した補助空間が設置され、前記補助空間の中には洗浄剤タンクと押しブロックとが設置され、前記作動空間の左側には乾燥空間が連通するように設置され、前記乾燥空間の中には洗浄完了後の廃物顆粒を集められる集め板が設置され、前記補助空間の下側には回転盤空間が設置され、前記回転盤空間の中には前記押しブロックを上下方向に移動させることで前記洗浄剤タンクを押して前記洗浄剤タンクを前記作動空間の中に洗浄剤をスプレーするように制御できる動力機構が設置され、前記動力機構はまた前記集め板を上下方向に振動させることで廃物顆粒の占めた面積をより広くすることができ、前記乾燥空間の上側には風通し空間が連通するように設置され、前記風通し空間の中には前記乾燥空間の中に熱風を送って廃物を乾燥する乾燥機構が設置されている。
【０００６】
さらなる技術プランとして、前記制御機構は前記制御空間の右壁に回転できるように設置されたネジスリーブと伝動軸とを含み、前記ネジスリーブは前記伝動軸の上側に位置し、前記押し動かし板の左側面にはネジロッドが固定的に設置され、前記ネジロッドの左方に伸びる部分は前記制御空間の中に伸びており、且つ前記ネジスリーブを貫通し、前記ネジロッドは前記ネジスリーブとネジ山により嵌合され、前記ネジスリーブの外周には第一歯車が固定的に設置され、前記伝動軸の外周には第二歯車が固定的に設置され、前記第二歯車は前記第一歯車と噛み合い、前記制御空間の後壁には減速器が固定的に設置され、前記伝動軸の左側面と前記減速器とは伝動できるように連結され、前記減速器の左側面には歯車軸が伝動できるように連結され、前記歯車軸の左側面には第一傘歯車が固定的に設置され、前記制御空間の下側内壁には従動軸が回転できるように設置され、前記従動軸の外周には第二傘歯車が固定的に設置され、前記第二傘歯車は前記第一傘歯車と噛み合っている。
【０００７】
さらなる技術プランとして、前記粉砕機構は前記作動空間の後壁に回転できるように設置された旋転軸を含み、前記旋転軸の外周には支持ブロックが固定的に設置され、前記支持ブロックの外周には四つの均等的に配列された連結ブロックが固定的に設置され、前記粉砕カッターと前記連結ブロックとは固定的に連結され、前記作動空間の左右両側にはガイドブロックが固定的に設置され、前記ガイドブロックの下側面には多孔板が固定的に装着され、前記多孔板の中には網目が設置されている。
【０００８】
さらなる技術プランとして、前記作動空間の後側にはベルト空間が設置され、前記ベルト空間の後壁には第一モーターが固定的に設置され、前記従動軸と前記旋転軸の後ろに伸びる部分とはいずれも前記ベルト空間の中に伸びており、また、前記ベルト空間の中に位置する前記従動軸と前記旋転軸との外周にはいずれも第一プーリが固定的に設置され、二つの前記第一プーリの間には第一ベルトが装着され、前記旋転軸の後側面と前記第一モーターとは伝動できるように連結されている。
【０００９】
さらなる技術プランとして、前記洗浄機構は前記洗浄輪の左側面に固定的に設置された第一モーター軸を含み、前記作動空間の左側には伝動空間が設置され、前記伝動空間の左側内壁の中には第二モーターが固定的に嵌められ、二つの前記第一モーター軸の左方に伸びる部分はいずれも前記伝動空間の中に伸びており、また二つの前記第一モーター軸の外周にはいずれも第二プーリが固定的に設置され、二つの前記第二プーリの間には第二ベルトが装着され、前側に位置する前記第一モーター軸の左側面と前記第二モーターとは伝動できるように連結されている。
【００１０】
さらなる技術プランとして、前記動力機構は前記回転盤空間の左側内壁の中に固定的に嵌められる第三モーターを含み、前記第三モーターの右側面には回転盤軸が伝動できるように連結され、前記回転盤軸の右方に伸びる部分は前記回転盤空間の中に伸びており、また前記回転盤軸の右側面には回転盤が固定的に設置され、前記回転盤空間と前記補助空間との間にはスライド空間が連通するように設置され、前記押しブロックは前記スライド空間の内壁にスライドできるように設置され、前記押しブロックの下側にはコンロッドがヒンジで連結され、前記コンロッドの下方に伸びる部分は前記回転盤空間の中に伸びており、また前記コンロッドは前記回転盤の右側面とヒンジで連結され、前記回転盤空間の左壁には横軸が回転できるように設置され、前記横軸の右側面には第三プーリが固定的に設置され、前記第三プーリと前記回転盤との間には第三ベルトが装着されている。
【００１１】
さらなる技術プランとして、前記補助空間の左壁にはクリップが固定的に設置され、前記洗浄剤タンクは前記クリップに挟持され、前記洗浄剤タンクの左側にはホースが連結され、前記ホースの左方に伸びる部分は前記作動空間の中に伸びており、また前記ホースの左側面には噴射ノズルが固定的に設置され、前記主体の右側面にはゴム製布が装着されている。
【００１２】
さらなる技術プランとして、前記作動空間の左右壁の間にはフィルターが固定的に装着され、前記作動空間の下側には下方に開口した廃液排出空間が連通するように設置され、前記廃液排出空間の中にはバルブが固定的に装着され、前記廃液排出空間は前記横軸の前側に位置している。
【００１３】
さらなる技術プランとして、前記乾燥空間の左右両側にはいずれも振動空間が連通するように設置され、前記横軸の左方に伸びる部分は右側の前記振動空間を貫通し、また左側の振動空間の中に伸びており、前記振動空間の中に位置する前記横軸の外周にはいずれも偏心輪が固定的に設置され、二つの前記振動空間の互いに離れた側壁にはいずれも挟みブロックが上下方向にスライドできるように設置され、前記挟みブロックの頂面と前記偏心輪の頂壁との間にはばねが固定的に装着され、二つの前記挟みブロックの互いに近接した側の伸びる部分はいずれも前記乾燥空間の中に伸びており、また前記挟みブロックの外周にはいずれも密封カバーが固定的に設置され、前記集め板を二つの前記挟みブロックの間に装着することができ、前記乾燥空間の前側にはドアが装着されている。
【００１４】
さらなる技術プランとして、前記乾燥機構は前記第二モーターの左側面に伝動できるように連結される第二モーター軸を含み、前記乾燥空間の上側には風通し空間が連通するように設置され、前記風通し空間は外部空間と連通し、前記風通し空間の外周には加熱装置が固定的に設置され、前記風通し空間の頂壁には固定ブロックが固定的に設置され、前記固定ブロックの中には連通空間が設置され、前記風通し空間の頂壁には矩形空間が設置され、前記矩形空間と前記連通空間とは連通され、前記固定ブロックの右側面にはファン軸が回転できるように設置され、前記ファン軸の外周には二つの対称である羽根が固定的に設置され、前記ファン軸の左方に伸びる部分は前記連通空間の中に伸びており、また前記ファン軸の左側面には第三歯車が固定的に設置され、前記第二モーター軸の左方に伸びる部分は前記矩形空間の中に伸びており、また前記第二モーター軸の左側面には第四歯車が固定的に設置され、前記第四歯車は前記第三歯車と噛み合っている。
【発明の効果】
【００１５】
本願発明の有益な効果は：本願発明は粉末冶金技術工程過程に生み出されるチタン合金廃物をより有効的にリサイクルでき、装置で製造できる製品顆粒は再利用でき、廃物を粉砕する用の設備の中に廃物が多すぎることで設備は熱すぎて塞がれる問題を解決できる上に、廃物顆粒に油汚れを除去することもでき、また、最終的に廃物顆粒を十分に乾かすことができ、制御機構は押し動かし板を緩やかに押し動かして廃物部分を装置の中に均等的に入らせることができ、塞ぐことを防止し、粉砕機構は粉砕をより十分にでき、洗浄機構は廃物顆粒表面の油汚れを除去でき、動力機構は集め板を制御して振動させることで廃物顆粒の占めた面積をより大きくし、動力機構はまた押しブロックを制御して洗浄剤タンクを押して洗浄剤を間欠的にスプレーして浪費と汚染を減少し、乾燥機構は熱風を導いて廃物顆粒を乾かせる。
【図面の簡単な説明】
【００１６】
本願発明の実施例または既存の技術の中の技術方案をより詳しく説明できるため、以下は実施例または既存の技術を説明することに必要な図面に対して簡単な紹介を行い、明らかなように、以下の図面はただ本願発明の一部の実施例であり、当業者にとって、創造的な労働を払わなくても、これらの図面に基づいて他の図面を獲得することができる。下記に図１〜５を参考して本願発明について詳しく説明し、説明に便利を与えるために、後文に出る方向を以下のように規定する：図１は本願発明の正面図であり、後文に述べる上下左右前後の方向は図１の自身投影関係の上下左右前後の方向と一致である。
【００１７】
【図１】図１は本願発明の内部全体構成概略図
【図２】図２は本願発明のベルト空間の内部構成概略図
【図３】図３は本願発明図１においてＡ―Ａ方向の概略図
【図４】図４は本願発明図１においてＢの拡大概略図
【図５】図５は本願発明のドアの概略図
【発明を実施するための形態】
【００１８】
図１〜５を参照し、本願発明実施例の粉末冶金に基づくチタン合金廃物リサイクル装置は、主体２２を含み、前記主体２２の中には上方に開口した廃物送り込み空間１２が設置され、前記廃物送り込み空間１２の中には廃物部分を入れることができ、前記廃物送り込み空間１２の右側には作動空間１４が連通するように設置され、前記廃物送り込み空間１２の下側内壁には押し動かし板１１がスライドできるように設置され、前記押し動かし板１１が前記廃物送り込み空間１２の中の廃物を前記作動空間１４の中に押し入れることができ、前記廃物送り込み空間１２の左側には制御空間２３が設置され、前記制御空間２３の中には前記押し動かし板１１を制御して左右方向に移動させることができる制御機構１０１が設置され、前記作動空間１４の中には四つの粉砕カッター３４と二つの洗浄輪７１とが設置され、前記作動空間１４の中には四つの前記粉砕カッター３４に前記作動空間１４の中に入った廃物部分を回転して粉砕させることができる粉砕機構１０２が設置され、二つの前記洗浄輪７１は前後対称であり、前記洗浄輪７１の外周にはいずれも洗浄ブラシ７２が固定的に設置され、前記作動空間１４の中には二つの前記洗浄輪７１を回転させることで粉砕された廃物部分を洗浄することができる洗浄機構１０３が設置され、前記作動空間１４の右側には右方に開口した補助空間３９が設置され、前記補助空間３９の中には洗浄剤タンク２１と押しブロック４０とが設置され、前記作動空間１４の左側には乾燥空間５６が連通するように設置され、前記乾燥空間５６の中には洗浄完了後の廃物顆粒を集められる集め板５７が設置され、前記補助空間３９の下側には回転盤空間４３が設置され、前記回転盤空間４３の中には前記押しブロック４０を上下方向に移動させることで前記洗浄剤タンク２１を押して前記洗浄剤タンク２１を前記作動空間１４の中に洗浄剤をスプレーするように制御できる動力機構１０４が設置され、前記動力機構１０４はまた前記集め板５７を上下方向に振動させることで廃物顆粒の占めた面積をより広くすることができ、前記乾燥空間５６の上側には風通し空間６０が連通するように設置され、前記風通し空間６０の中には前記乾燥空間５６の中に熱風を送って廃物を乾燥する乾燥機構１０５が設置されている。
【００１９】
また、一つの実施例において、前記制御機構１０１は前記制御空間２３の右壁に回転できるように設置されたネジスリーブ３１と伝動軸２９とを含み、前記ネジスリーブ３１は前記伝動軸２９の上側に位置し、前記押し動かし板１１の左側面にはネジロッド２４が固定的に設置され、前記ネジロッド２４の左方に伸びる部分は前記制御空間２３の中に伸びており、且つ前記ネジスリーブ３１を貫通し、前記ネジロッド２４は前記ネジスリーブ３１とネジ山により嵌合され、前記ネジスリーブ３１の外周には第一歯車３２が固定的に設置され、前記伝動軸２９の外周には第二歯車３０が固定的に設置され、前記第二歯車３０は前記第一歯車３２と噛み合い、前記制御空間２３の後壁には減速器２８が固定的に設置され、前記伝動軸２９の左側面と前記減速器２８とは伝動できるように連結され、前記減速器２８の左側面には歯車軸８１が伝動できるように連結され、前記歯車軸８１の左側面には第一傘歯車２７が固定的に設置され、前記制御空間２３の下側内壁には従動軸２６が回転できるように設置され、前記従動軸２６の外周には第二傘歯車２５が固定的に設置され、前記第二傘歯車２５は前記第一傘歯車２７と噛み合っており、
前記従動軸２６の回転は前記歯車軸８１を回転させ、前記減速器２８の減速により、前記伝動軸２９は前記ネジスリーブ３１を駆動して回転させ、そして前記ネジロッド２４に前記押し動かし板１１を右方に緩やかに移動させることができ、廃物部分は多すぎて過熱して設備を塞ぐ問題を防止する。
【００２０】
また、一つの実施例において、前記粉砕機構１０２は前記作動空間１４の後壁に回転できるように設置された旋転軸１５を含み、前記旋転軸１５の外周には支持ブロック１６が固定的に設置され、前記支持ブロック１６の外周には四つの均等的に配列された連結ブロック３５が固定的に設置され、前記粉砕カッター３４と前記連結ブロック３５とは固定的に連結され、前記作動空間１４の左右両側にはガイドブロック１７が固定的に設置され、前記ガイドブロック１７の下側面には多孔板１８が固定的に装着され、前記多孔板１８の中には網目１９が設置されており、
前記旋転軸１５の回転は前記支持ブロック１６に四つの前記連結ブロック３５の回転を駆動させ、そして前記粉砕カッター３４を回転させ、さらに前記粉砕カッターに粉砕機能を有させ、前記網目１９は粉砕された後の顆粒のサイズの廃物しか通せない。
【００２１】
また、一つの実施例において、前記作動空間１４の後側にはベルト空間６２が設置され、前記ベルト空間６２の後壁には第一モーター６５が固定的に設置され、前記従動軸２６と前記旋転軸１５の後ろに伸びる部分とはいずれも前記ベルト空間６２の中に伸びており、また、前記ベルト空間６２の中に位置する前記従動軸２６と前記旋転軸１５との外周にはいずれも第一プーリ６３が固定的に設置され、二つの前記第一プーリ６３の間には第一ベルト６４が装着され、前記旋転軸１５の後側面と前記第一モーター６５とは伝動できるように連結されており、
前記第一モーター６５の作動は前記旋転軸１５を回転させ、そして前記第一ベルト６４に動力を伝達させ、そして前記従動軸２６を回転させる。
【００２２】
また、一つの実施例において、前記洗浄機構１０３は前記洗浄輪７１の左側面に固定的に設置された第一モーター軸６７を含み、前記作動空間１４の左側には伝動空間６８が設置され、前記伝動空間６８の左側内壁の中には第二モーター６６が固定的に嵌められ、二つの前記第一モーター軸６７の左方に伸びる部分はいずれも前記伝動空間６８の中に伸びており、また二つの前記第一モーター軸６７の外周にはいずれも第二プーリ６９が固定的に設置され、二つの前記第二プーリ６９の間には第二ベルト７０が装着され、前側に位置する前記第一モーター軸６７の左側面と前記第二モーター６６とは伝動できるように連結されており、
前記第二モーター６６の作動は前側に位置する前記第一モーター軸６７を回転させ、そして前記第二ベルト７０に動力を伝達させ、さらに二つの前記第一モーター軸６７に前記洗浄輪７１の回転を駆動させ、前記洗浄ブラシ７２の回転を駆動して前記洗浄ブラシ７２に洗浄作用を有させる。
【００２３】
また、一つの実施例において、前記動力機構１０４は前記回転盤空間４３の左側内壁の中に固定的に嵌められる第三モーター４６を含み、前記第三モーター４６の右側面には回転盤軸４５が伝動できるように連結され、前記回転盤軸４５の右方に伸びる部分は前記回転盤空間４３の中に伸びており、また前記回転盤軸４５の右側面には回転盤４４が固定的に設置され、前記回転盤空間４３と前記補助空間３９との間にはスライド空間４２が連通するように設置され、前記押しブロック４０は前記スライド空間４２の内壁にスライドできるように設置され、前記押しブロック４０の下側にはコンロッド４１がヒンジで連結され、前記コンロッド４１の下方に伸びる部分は前記回転盤空間４３の中に伸びており、また前記コンロッド４１は前記回転盤４４の右側面とヒンジで連結され、前記回転盤空間４３の左壁には横軸５０が回転できるように設置され、前記横軸５０の右側面には第三プーリ４８が固定的に設置され、前記第三プーリ４８と前記回転盤４４との間には第三ベルト４７が装着されており、
前記第三モーター４６の作動は前記回転軸４５に前記回転盤４４の回転を駆動させ、そして前記第三ベルト４７に動力を伝達させ、同時に前記コンロッド４１に前記押しブロック４０を上下方向に移動させ、前記第三ベルト４７の伝動は前記横軸５０を回転させる。
【００２４】
また、一つの実施例において、前記補助空間３９の左壁にはクリップ２０が固定的に設置され、前記洗浄剤タンク２１は前記クリップ２０に挟持され、前記洗浄剤タンク２１の左側にはホース３７が連結され、前記ホース３７の左方に伸びる部分は前記作動空間１４の中に伸びており、また前記ホース３７の左側面には噴射ノズル３８が固定的に設置され、前記主体２２の右側面にはゴム製布３３が装着されており、
前記押しブロック４０の上下方向への移動は前記洗浄剤タンク２１を間欠的に押し、そして前記洗浄剤タンク２１の中の洗浄剤を前記ホース３７と前記噴射ノズル３８とにより前記作動空間１４の中にスプレーし、洗浄効果を向上させる。
【００２５】
また、一つの実施例において、前記作動空間１４の左右壁の間にはフィルター５５が固定的に装着され、前記作動空間１４の下側には下方に開口した廃液排出空間５３が連通するように設置され、前記廃液排出空間５３の中にはバルブ５４が固定的に装着され、前記廃液排出空間５３は前記横軸５０の前側に位置しており、
前記フィルター５５により残った洗浄用の廃水から廃物顆粒を濾出し、前記バルブ５４と前記廃液排出空間５３とにより廃液を排出する。
【００２６】
また、一つの実施例において、前記乾燥空間５６の左右両側にはいずれも振動空間５１が連通するように設置され、前記横軸５０の左方に伸びる部分は右側の前記振動空間５１を貫通し、また左側の振動空間５１の中に伸びており、前記振動空間５１の中に位置する前記横軸５０の外周にはいずれも偏心輪５２が固定的に設置され、二つの前記振動空間５１の互いに離れた側壁にはいずれも挟みブロック５８が上下方向にスライドできるように設置され、前記挟みブロック５８の頂面と前記偏心輪５２の頂壁との間にはばね５９が固定的に装着され、二つの前記挟みブロック５８の互いに近接した側の伸びる部分はいずれも前記乾燥空間５６の中に伸びており、また前記挟みブロック５８の外周にはいずれも密封カバー８２が固定的に設置され、前記集め板５７を二つの前記挟みブロック５８の間に装着することができ、前記乾燥空間５６の前側にはドア８０が装着されており、
前記横軸５０の回転は前記偏心輪５２に前記挟みブロック５８の振動を駆動させ、そして前記集め板５７を振動させ、前記集め板５７にある顆粒は振動した後に占めた面積がより広くなり、前記ドア８０を開けることにより前記集め板５７を入れ又は出す。
【００２７】
また、一つの実施例において、前記乾燥機構１０５は前記第二モーター６６の左側面に伝動できるように連結される第二モーター軸８３を含み、前記乾燥空間５６の上側には風通し空間６０が連通するように設置され、前記風通し空間６０は外部空間と連通し、前記風通し空間６０の外周には加熱装置６１が固定的に設置され、前記風通し空間６０の頂壁には固定ブロック７６が固定的に設置され、前記固定ブロック７６の中には連通空間７７が設置され、前記風通し空間６０の頂壁には矩形空間７３が設置され、前記矩形空間７３と前記連通空間７７とは連通され、前記固定ブロック７６の右側面にはファン軸７８が回転できるように設置され、前記ファン軸７８の外周には二つの対称である羽根７９が固定的に設置され、前記ファン軸７８の左方に伸びる部分は前記連通空間７７の中に伸びており、また前記ファン軸７８の左側面には第三歯車７５が固定的に設置され、前記第二モーター軸８３の左方に伸びる部分は前記矩形空間７３の中に伸びており、また前記第二モーター軸８３の左側面には第四歯車７４が固定的に設置され、前記第四歯車７４は前記第三歯車７５と噛み合っており、
前記第二モーター６６の作動は前記第二モーター軸８３に前記ファン軸７８の回転を駆動させ、そして前記羽根７９に右方に風を送らせ、前記加熱装置６１の加熱効果により、風を加熱した後に前記乾燥空間５６の中に通し、そして廃物顆粒を乾燥する。
【００２８】
使用の時、第一モーター６５の作動は旋転軸１５を回転させ、そして第一ベルト６４に動力を伝達させ、そして従動軸２６を回転させ、旋転軸１５の回転は支持ブロック１６に四つの連結ブロック３５の回転を駆動させ、そして粉砕カッター３４を回転させ、さらに粉砕カッターに粉砕機能を有させ、網目１９は粉砕された後の顆粒のサイズの廃物しか通せなく、従動軸２６の回転は歯車軸８１を回転させ、減速器２８の減速により、伝動軸２９はネジスリーブ３１を駆動して回転させ、そしてネジロッド２４に押し動かし板１１を右方に緩やかに移動させることができ、廃物部分は多すぎて過熱して設備を塞ぐ問題を防止し、第二モーター６６の作動は前側に位置する第一モーター軸６７を回転させ、そして第二ベルト７０に動力を伝達させ、さらに二つの第一モーター軸６７に洗浄輪７１の回転を駆動させ、洗浄ブラシ７２の回転を駆動して洗浄ブラシ７２に洗浄作用を有させ、第三モーター４６の作動は回転軸４５に回転盤４４の回転を駆動させ、そして第三ベルト４７に動力を伝達させ、同時にコンロッド４１に押しブロック４０を上下方向に移動させ、第三ベルト４７の伝動は横軸５０を回転させ、押しブロック４０の上下方向への移動は洗浄剤タンク２１を間欠的に押し、そして洗浄剤タンク２１の中の洗浄剤をホース３７と噴射ノズル３８とにより作動空間１４の中にスプレーし、洗浄効果を向上させ、フィルター５５により残った洗浄用の廃水から廃物顆粒を濾出し、バルブ５４と廃液排出空間５３とにより廃液を排出し、横軸５０の回転は偏心輪５２に挟みブロック５８の振動を駆動させ、そして集め板５７を振動させ、集め板５７にある顆粒は振動した後に占めた面積がより広くなり、ドア８０を開けることにより集め板５７を入れ又は出し、第二モーター６６の作動は第二モーター軸８３にファン軸７８の回転を駆動させ、そして羽根７９に右方に風を送らせ、加熱装置６１の加熱効果により、風を加熱した後に乾燥空間５６の中に通し、そして廃物顆粒を乾燥する。
【００２９】
本願発明の有益な効果は：本願発明は粉末冶金技術工程過程に生み出されるチタン合金廃物をより有効的にリサイクルでき、装置で製造できる製品顆粒は再利用でき、廃物を粉砕する用の設備の中に廃物が多すぎることで設備は熱すぎて塞がれる問題を解決できる上に、廃物顆粒に油汚れを除去することもでき、また、最終的に廃物顆粒を十分に乾かすことができ、制御機構は押し動かし板を緩やかに押し動かして廃物部分を装置の中に均等的に入らせることができ、塞ぐことを防止し、粉砕機構は粉砕をより十分にでき、洗浄機構は廃物顆粒表面の油汚れを除去でき、動力機構は集め板を制御して振動させることで廃物顆粒の占めた面積をより大きくし、動力機構はまた押しブロックを制御して洗浄剤タンクを押して洗浄剤を間欠的にスプレーして浪費と汚染を減少し、乾燥機構は熱風を導いて廃物顆粒を乾かせる。
【００３０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本発明は粉末冶金に基づくチタン合金廃物リサイクル装置を開示した。
【解決手段】
主体を含み、前記主体の中には上方に開口した廃物送り込み空間が設置され、前記廃物送り込み空間の中には廃物部分を入れることができ、前記廃物送り込み空間の右側には作動空間が連通するように設置され、前記廃物送り込み空間の底壁には押し動かし板がスライドできるように設置され、前記廃物送り込み空間の左側には制御空間が設置され、前記制御空間の中には前記押し動かし板を制御して左右方向に移動させることができる制御機構が設置され、本願発明は粉末冶金技術工程過程に生み出されるチタン合金廃物をより有効的にリサイクルでき、装置で製造できる製品顆粒は再利用でき、廃物を粉砕する用の設備の中に廃物が多すぎることで設備は熱すぎて塞がれる問題を解決できる上に、廃物顆粒に油汚れを除去することもできる。
【選択図】図１【図１】
0006739718.tif 000002
【図２】
0006739718.tif 000003
【図３】
0006739718.tif 000004
【図４】
0006739718.tif 000005
【図５】
0006739718.tif 000006